(57)【要約】【課題】所定の画像とテンプレートとを合成してポストカードなどの所定の印刷物などを作成する場合、操作者が所定の画像と合成可能なテンプレートの選択を容易に行うことができる画像編集装置を提供する。【解決手段】メモリカードがカードスロットに装着されていることが検出されると（ステップＳ４のＹＥＳ）、画像の嵌め込み領域を有する第１のテンプレートを画像の嵌め込み領域を有していない第２のテンプレートより優先して読出し（ステップＳ５）、選択画面に表示してテンプレートの選択ができるようにする（ステップＳ６）。前記第１のテンプレートの選択後、メモリカードに記録された写真画像が選択され（ステップＳ１０）、選択された第１のテンプレートの画像嵌め込み領域に選択された写真画像が嵌め込まれて画像合成され（ステップＳ１２）、その合成された画像がポストカードに印刷される（ステップＳ１４）。【選択図】      図７
2008078909.tif 000002
【特許請求の範囲】
【請求項１】
着脱可能な記録媒体に記録された画像情報と所定のテンプレート情報とを合成する画像編集装置であって、
前記記録媒体が着脱可能に装着される記録媒体装着手段と、
テンプレート情報として、前記記録媒体に記録された画像情報が示す画像をはめ込む領域を有する第１のテンプレート情報及び前記領域を有していない第２のテンプレート情報を予め複数種類記憶しているテンプレート記憶手段と、
前記記録媒体装着手段に前記記録媒体が装着されたか否かの判別を行なう判別手段と、
前記判別手段により前記記録媒体の装着が判別された状態のもとで、前記テンプレート記憶手段に記憶されたテンプレート情報のうちから前記第１のテンプレート情報を優先的に読み出すテンプレート情報読出し手段と、
前記テンプレート情報読出手段によって読み出されたテンプレート情報から操作者の選択操作により所望のテンプレート情報を選択するためのテンプレート選択手段と、
前記記録媒体に記録され第１のテンプレート情報との合成を行うべく選択された画像情報と前記テンプレート選択手段によって選択された第１のテンプレート情報とを合成する画像編集手段と、
を備えることを特徴とする画像編集装置。
【請求項２】
前記テンプレート情報読出し手段は、前記判別手段により前記記録媒体の装着が判別されない状態のもとで、前記テンプレート記憶手段から前記第２のテンプレート情報を優先的に読み出すことを特徴とする請求項１に記載の画像編集装置。
【請求項３】
前記テンプレート選択手段は、前記テンプレート情報読出し手段によって前記テンプレート記憶手段から読み出されたテンプレート情報を表示する表示手段を備えていることを特徴とする請求項１又は請求項２に記載の画像編集装置。
【請求項４】
前記テンプレート記憶手段は、前記第１のテンプレート情報及び前記第２のテンプレート情報の各印刷用情報とそのサムネイル情報を記憶しており、
前記テンプレート情報読出し手段は、前記サムネイル情報を前記テンプレート記憶手段から読出し、
前記テンプレート選択手段は、前記テンプレート情報読出し手段により読み出されたサムネイル情報を前記表示手段に一覧表示することを特徴とする請求項３に記載の画像編集装置。
【請求項５】
前記画像編集手段は、前記記録媒体に記録されテンプレート情報との合成を行うべく選択された画像情報と前記テンプレート選択手段によって選択されたテンプレート情報の印刷情報とを合成し、
前記画像編集手段により合成された合成画像情報の印刷を行う印刷手段を更に備えることを特徴とする請求項１ないし請求項４の何れか１項に記載の画像編集装置。
【発明の詳細な説明】
【技術分野】
【０００１】
本発明は、画像情報と所定のテンプレート情報とを合成する画像編集装置に関する。
【背景技術】
【０００２】
従来、デジカメで撮影した写真画像をテンプレートに合成する画像編集技術として特開平１０−１０７９８１号公報の印刷システムがある。この印刷システムでは、通信ケーブルによってデジカメと印刷装置を接続し、デジカメで撮影した写真画像をデジカメのビューファインダーに表示して所望の画像を選択する一方、印刷装置に予め記憶されているポストカード用のテンプレート情報を通信ケーブルを介してデジカメに転送するとともにビューファインダーに表示して所望のテンプレート画像を選択し、選択された写真画像の画像情報を通信ケーブルを介してデジカメからの印刷装置に転送するとともに、その写真画像を選択されたテンプレート画像の画像嵌め込み領域に嵌め込んで合成し、その合成した画像をポストカードに印刷するようにしたものである。
【０００３】
この従来の印刷システムの印刷装置では、通信ケーブルを通してデジカメの画像メモリに保存されている写真画像の供給を受けるが、最近は、デジカメで撮影した写真画像をメモリカードに保存する一方、そのメモリカードを印刷装置のカードスロットに差し込んで写真画像を印刷装置に取り込み、その写真画像を印刷装置に備える表示装置に表示して所望の画像を選択するとともに、印刷装置に保持するテンプレート画像から所望のテンプレート画像を選択し、これらの選択した写真画像とテンプレート画像とを合成してポストカードを作成することが行われる。
【特許文献１】特開平１０−１０７９８１号公報
【発明の開示】
【発明が解決しようとする課題】
【０００４】
ところで、ポストカードを作成する印刷装置では、写真画像を使用してポストカードを作成する場合の他に、写真画像を使用しないで印刷装置に予め記憶されているイラスト画像を使用してポストカードの作成を行うことも可能になっている。このため、印刷装置には、写真画像を嵌め込む領域を有するテンプレートと、そのような領域が設けられていないイラスト画像だけのテンプレートが用意されている。
【０００５】
そこで、ポストカードを作成する操作者は、写真画像を使用するか否かによりその条件に適合するテンプレートを考慮の上、テンプレートが一覧表示される選択画面で所望のテンプレートを選択し、その選択したテンプレートを使用してポストカードを作成することになる。
【０００６】
しかしながら、印刷装置には多数のテンプレートが用意されており、写真画像が合成可能なテンプレートの他に、写真画像との合成に適さないイラスト画像だけのテンプレートが混在しているため、写真画像を使用したポストカードの作成を希望する場合、それに適合するテンプレートを選択する作業が面倒なものとなる。
【０００７】
本発明は上記問題点を解決するものであり、所定の画像とテンプレートとを合成してポストカードなどの所定の印刷物などを作成する場合、操作者が所定の画像と合成可能なテンプレートの選択を容易に行うことができる画像編集装置を提供することを目的とする。
【課題を解決するための手段】
【０００８】
本発明は、着脱可能な記録媒体に記録された画像情報と所定のテンプレート情報とを合成する画像編集装置であって、前記記録媒体が着脱可能に装着される記録媒体装着手段と、テンプレート情報として、前記記録媒体に記録された画像情報が示す画像をはめ込む領域を有する第１のテンプレート情報及び前記領域を有していない第２のテンプレート情報を予め複数種類記憶しているテンプレート記憶手段と、前記記録媒体装着手段に前記記録媒体が装着されたか否かの判別を行なう判別手段と、前記判別手段により前記記録媒体の装着が判別された状態のもとで、前記テンプレート記憶手段に記憶されたテンプレート情報のうちから前記第１のテンプレート情報を優先的に読み出すテンプレート情報読出し手段と、前記テンプレート情報読出手段によって読み出されたテンプレート情報から操作者の選択操作により所望のテンプレート情報を選択するためのテンプレート選択手段と、前記記録媒体に記録され第１のテンプレート情報との合成を行うべく選択された画像情報と前記テンプレート選択手段によって選択された第１のテンプレート情報とを合成する画像編集手段とを備えることを特徴としている。
【０００９】
また、前記テンプレート情報読出し手段は、前記判別手段により前記記録媒体の装着が判別されない状態のもとで、前記テンプレート記憶手段から前記第２のテンプレート情報を優先的に読み出すことを特徴としている。
【００１０】
また、前記テンプレート選択手段は、前記テンプレート情報読出し手段によって前記テンプレート記憶手段から読み出されたテンプレート情報を表示する表示手段を備えていることを特徴としている。
【００１１】
また、前記テンプレート記憶手段は、前記第１のテンプレート情報及び前記第２のテンプレート情報の各印刷用情報とそのサムネイル情報を記憶しており、前記テンプレート情報読出し手段は、前記サムネイル情報を前記テンプレート記憶手段から読出し、前記テンプレート選択手段は、前記テンプレート情報読出し手段により読み出されたサムネイル情報を前記表示手段に一覧表示することを特徴としている。
【００１２】
また、前記画像編集手段は、前記記録媒体に記録されテンプレート情報との合成を行うべく選択された画像情報と前記テンプレート選択手段によって選択されたテンプレート情報の印刷情報とを合成し、前記画像編集手段により合成された合成画像情報の印刷を行う印刷手段を更に備えることを特徴としている。
【発明の効果】
【００１３】
本発明によれば、所定の画像とテンプレートとを合成してポストカードなどの所定の印刷物などを作成する場合、操作者が所定の画像と合成可能なテンプレートの選択を容易に行うことができる。
【発明を実施するための最良の形態】
【００１４】
以下、本発明の実施の形態を図面を参照しながら説明する。図１は、本発明の一実施の形態に係る印刷装置の前面側から見た外観斜視図であり、図２は、その背面側から見た外観斜視図である。この印刷装置は、名前、住所、電話番号及び郵便番号などからなる住所録情報を入力して住所録を作成する住所録作成機能を有するとともに、デジカメで撮影した写真画像を取り込んでテンプレート画像と合成する画像編集機能を有し、また、保存された住所録情報に基づいてポストカードの宛名面側に宛名を印刷する宛名印刷機能及び前記画像編集機能によって編集された画像をポストカードの文面側に印刷する文面印刷機能を有している。
【００１５】
図１及び図２において、印刷装置１は、箱型の装置本体２を備え、この装置本体２の内部には、ポストカードに宛名及び文面の印刷を行うインクジェット方式あるいは熱転写方式による印刷機構を備えている。また、装置本体２の前面側には、文字情報を入力するためのキーボード３を備えている。このキーボード３は、名前、住所、電話番号及び郵便番号などからなる住所録情報を入力するための文字・記号入力キーや、表示画面上でカーソルを移動制御するためのカーソルキー、表示画面上での種々の選択決定などを行うための決定キー、印刷を指示するための印刷キーなど各種の制御キーを備えている。また、装置本体２の上面には、キーボード３から入力された文字情報を表示し、各種の設定に必要なメニュー画面を表示し、またデジカメから取り込んだ写真画像を表示するなどの他に、この装置で必要とする各種の情報を表示するための液晶表示部４が設けられている。
【００１６】
図２に示すように、装置本体２の背面には、装置本体２内の印刷機構に対して記録紙であるポストカード用紙を給紙する給紙口５が設けられ、また装置本体２内の印刷機構によって印刷が行われたポストカード用紙を装置外に排出するための排紙口６が設けられ、給紙口５及び排紙口６に対応して、未印刷のポストカード用紙が重ねてセットされる給紙トレイ７及び印刷済のポストカード用紙を受ける排紙トレイ８が設けられている。
【００１７】
また、装置本体２の背面には、デジカメで撮影された写真画像の画像情報を記録したメモリカード１５を装着し、メモリカード１５から印刷装置１に写真画像の画像情報を取り込むためのカードスロット９ａ〜９ｄが設けられている。このカードスロット９ａ〜９ｄは、複数種類のメモリカードに対応して形状の異なる複数種類が設けられている。このカードスロット９ａ〜９ｄのいずれかにメモリカード１５が装着されると、メモリカード１５の端子がカードスロット９ａ〜９ｄの奥に配設されているコネクタ端子に接続され、これにより、メモリカード１５に記録された画像情報が印刷装置１側に読み出し可能となる。
【００１８】
また、この各カードスロット９ａ〜９ｄの内部には、図３に示すように、メモリカード１５が装着された場合、その装着状態を検出するための検出スイッチ１０ａ〜１０ｄが設けられている。
【００１９】
なお、メモリカード１５には、デジカメで撮影された複数の写真画像の画像情報が記録されており、その各写真画像の画像情報は、サムネイル画像情報を含むヘッダー情報及び実画像情報で構成されている。
【００２０】
図４は印刷装置１の電子回路のブロック図を示している。図４に示すように、この印刷装置１は、制御部２０を備えている。制御部２０は、ＲＯＭ２１に格納された制御プログラムを読み出し、この読み出した制御プログラムによって装置の各部を制御する。また、ＲＯＭ２１には、メモリカード１５に記録された画像情報を貼り付けてポストカードの文面を簡単に作成するためのテンプレート情報を予め記憶したテンプレート記憶領域２１ａが設けられている。
【００２１】
このテンプレート記憶領域２１ａには、複数種類の第１のテンプレート情報及び第２のテンプレート情報が記憶されている。図５及び図６は、テンプレート記憶領域２１ａに記憶されているポストカードの文面を作成するための複数種類のテンプレート情報の説明図である。図５は３種類の第１のテンプレート情報によって表現される第１のテンプレート画像３０を示すものであり、第１のテンプレート画像３０のそれぞれは、所定の定型文３１を有するとともに、デジカメの写真画像を嵌め込む画像嵌め込み領域３２を有し、定型文３１と画像嵌め込み領域３２とがポストカードの文面側の所定の位置に位置決めされて配置されるように構成されている。図５に示す３種類の第１のテンプレート画像３０では、画像嵌め込み領域３２が、それぞれ四角形、六角形、楕円形など異なる形状に形成されている。なお、前記テンプレート記憶領域２１ａには、第１のテンプレート情報として、第１のテンプレートそれぞれについて、ポストカードの印刷に使用する実画像情報と、表示に使用するサムネイル画像情報とが記憶されている。
【００２２】
一方、図６は３種類の第２のテンプレート情報を示すものであり、第２のテンプレート情報によって表現される第２のテンプレート画像４０は、所定の定型文４１を有するとともに、イラスト画像４２を有し、定型文４１とイラスト画像４２とがポストカードの文面側の所定の位置に位置決めされて配置されるように構成されている。これらの第２のテンプレート画像４０は、第１のテンプレート画像３０が有している画像嵌め込み領域３２を有していない点で第１のテンプレート画像３０と相違している。すなわち、第１のテンプレート画像３０はデジカメで撮影した写真画像と合成するためのものであるが、第２のテンプレート画像４０はデジカメの写真画像と合成することができない。なお、前記テンプレート記憶領域２１ａには、第２のテンプレート情報として、第２のテンプレートそれぞれについて、ポストカードの印刷に使用する実画像情報と、表示に使用するサムネイル画像情報とが記憶されている。また、テンプレート記憶領域２１ａには、図５及び図６に例示するものの他に更に多数の第１のテンプレート情報及び第２のテンプレート情報が記憶されているものとする。
【００２３】
図４に戻って、印刷装置１の電子回路にはＲＡＭ２２が備えられている。ＲＡＭ２２には、入力された文字情報や表示のための表示情報、あるいは印刷データが格納され、その他の必要な処理に関する情報が格納される。また、キーボード３から入力された住所録情報が記憶される住所録記憶領域２２ａが確保されている。
【００２４】
また、制御部２０には、印刷制御部２３、メモリカード制御部２４、表示制御部２５、及びキーボード３が接続されている。印刷制御部２３は、装置本体２内に設けられる印刷機構２６の印刷ヘッドや紙送りモータなどを制御する回路であり、表示制御部２５は、液晶表示部４を駆動する回路である。また、メモリカード制御部２４は、上述したカードスロット９ａ〜９ｄに挿入されたメモリカード１５からメモリカードコネクタ２７介して画像情報を取り込んで、その取り込んだ画像情報を制御部２０に転送する回路である。
【００２５】
また、制御部２０にはカードスロット９ａ〜９ｄに設けられてメモリカード１５の装着を検出する検出スイッチ１０ａ〜１０ｄの情報が入力される。
【００２６】
以下に、図７のフローチャートに基づいて印刷装置１のポストカード文面作成処理を説明する。初めに、操作者は、デジカメの画像を取り込んでポストカードの文面を作成することを所望する場合、デジカメで撮影した画像情報を記録したメモリカード１５を、そのメモリカード１５が対応する印刷装置１のカードスロット９ａ〜９ｄに装着する。また、ポストカードの文面にデジカメの写真画像を取り込まない場合、印刷装置１のカードスロット９ａ〜９ｄにメモリカード１５を装着しない。
【００２７】
そこで、印刷装置１の電源が投入されると、作業メニュー画面が表示される（ステップＳ１）。図８は液晶表示部４に表示される作業メニュー画面６０を示している。この作業メニュー画面６０には、「文面作成・印刷」、「宛名印刷」、「住所録作成」などの各作業項目が表示されるとともに、その選択ボタン６１が表示される。操作者は選択ボタン６１を操作して所望の作業の選択を行う。
【００２８】
次に、選択された作業項目が「文面作成・印刷」であるか否かが判断され（ステップＳ２）、選択された作業項目が「文面作成・印刷」である場合、ステップＳ３に移行し、そうではない場合、「宛名印刷」や「住所録作成」など、「文面作成・印刷」以外の選択された作業項目の処理を行う。
【００２９】
「文面作成・印刷」の作業の選択が判断された場合（ステップＳ２のＹＥＳ）、検出スイッチ１０ａ〜１０ｄの検出情報に基づいてカードスロット９ａ〜９ｄへのメモリカード（記録媒体）１５の装着が判別される（ステップＳ３）。メモリカード１５の装着が判別された場合（ステップＳ４のＹＥＳ）、ＲＯＭ２１のテンプレート記憶領域２１ａから第１のテンプレート情報のサムネイル画像情報が優先して読み出され（ステップＳ５）、その読み出されたサムネイル画像情報がテンプレートの選択画面として液晶表示部４に表示され、このテンプレートの選択画面上でテンプレートの選択が行われる（ステップＳ６）。
【００３０】
すなわち、前記ステップＳ４では、テンプレート記憶領域２１ａから第１のテンプレート情報の各サムネイル画像情報が優先的に第２のテンプレート情報より先に読み出され、続いて第２のテンプレート情報の各サムネイル画像情報が読み出される。図９は、前記ステップＳ６の処理によって液晶表示部４に表示されるテンプレート選択画面７０を示している。図９に図示のように、ステップＳ５でテンプレート記憶領域２１ａから優先的に読み出された各第１のテンプレート情報のサムネイル画像３０ａがテンプレート選択画面７０に優先的に表示されている状態を表している。このテンプレート選択画面７０では、選択画面の下部に「次候補あり」のメッセージが表示され、操作者による所定のキー操作により１画面に表示できない次の選択候補の第１のテンプレート情報のサムネイル画像を順次切換表示することが可能になっている。切換表示により第１のテンプレート情報のサムネイル画像の全てを表示した後には、それに続いて第２のテンプレート情報のサムネイル画像が順次表示される。また、テンプレート選択画面７０に表示される各サムネイル画像には選択用の番号が表示される一方、選択画面の上部に「番号を選んでください」のメッセージの表示とともに選択番号入力欄７１が表示されており、この入力欄７１に操作者が番号を入力することによりテンプレートの選択が可能になっている。
【００３１】
次に、ステップＳ６のテンプレート選択画面７０によって行われるテンプレートの選択が判断され（ステップＳ７）、テンプレートの選択が判断されると（ステップＳ７のＹＥＳ）、その選択されたテンプレートが第１のテンプレート情報か否かが判断される（ステップＳ８）。選択されたテンプレートが第１のテンプレート情報の場合、メモリカード１５に記録されている写真画像のサムネイル画像情報が読み出され（ステップＳ９）、液晶表示部４に写真画像の選択画面として表示される（ステップＳ１０）。図１０はメモリカード１５から読み出され液晶表示部４に表示される写真画像選択画面８０を示している。この写真画像選択画面８０では、写真画像のサムネイル画像５０ａに順に選択用の番号が付されて表示される。写真画像選択画面８０の上部には、「番号を選んでください」のメッセージの表示とともに選択番号入力欄８１が表示されており、この入力欄８１に操作者が番号を入力することにより先に選択された第１のテンプレートの画像嵌め込み領域３２に嵌め込む写真画像情報の選択が可能になっている。選択画面８０の下部には「次候補あり」のメッセージが表示され、操作者による所定のキー操作により１画面に表示できない次の選択候補の写真画像のサムネイル画像５０ａを切換表示することが可能になっている。
【００３２】
前記ステップＳ１０の選択画面で写真画像情報の選択があれば（ステップＳ１１のＹＥＳ）、写真画像情報の実画像情報がメモリカード１５から読み出され、ステップＳ６で選択された第１のテンプレート情報の実画像情報の画像嵌め込み領域３２に嵌め込むべく画像合成される（ステップＳ１２）。そして、合成された画像のカラー印刷データが作成され（ステップＳ１３）、その印刷データがポストカードに印刷される（ステップＳ１４）。図１１は第１のテンプレート画像３０の画像嵌め込み領域３２に写真画像５０が嵌め込まれて合成されたポストカード９０の文面の印刷例を示している。
【００３３】
一方、前記ステップＳ３の判別の結果、検出スイッチ１０ａ〜１０ｄのいずれからもメモリカード１５の装着が検出されない場合（ステップＳ４のＮＯ）、ＲＯＭ２１のテンプレート記憶領域２１ａから第２のテンプレート情報のサムネイル画像情報が優先して読み出され（ステップＳ１５）、液晶表示部４にテンプレート選択画面１００として表示される（ステップＳ１６）。
【００３４】
すなわち、前記ステップＳ１５では、図１２に図示するように、テンプレート記憶領域２１ａから第２のテンプレート情報のサムネイル画像情報が優先的に先に読み出され、その後に続いて第１のテンプレート情報のサムネイル画像情報が読み出される。そして、読み出された第２のテンプレート情報のサムネイル画像４０ａは、液晶表示部４のテンプレート選択画面１００上で第１のテンプレート情報より先に優先的に表示される。図１２に図示するように、第２のテンプレートの各サムネイル画像４０ａには選択用の番号が表示され、テンプレート選択画面１００の上部に「番号を選んでください」のメッセージの表示とともに選択番号入力欄１０１が表示され、この入力欄１０１に操作者が番号を入力することによりテンプレート情報の選択が可能になっている。テンプレート選択画面１００の下部には「次候補あり」のメッセージが表示され、操作者による所定のキー操作により１画面に表示できない次の選択候補の第２のテンプレートのサムネイル画像４０ａを切換表示することが可能になっている。この切換表示により第２のテンプレート情報のサムネイル画像の全てを表示した後には、それに続いて第１のテンプレート情報のサムネイル画像が順次表示されることになる。
【００３５】
次に、ステップＳ１６のテンプレート選択画面１００によって行われるテンプレートの選択が判断され（ステップＳ１７）、テンプレートの選択が判断されると（ステップＳ１７のＹＥＳ）、その選択されたテンプレートが第２のテンプレート情報か否か判断される（ステップＳ１８）。選択されたテンプレートが第２のテンプレート情報の場合（ステップＳ１８のＹＥＳ）、選択された第２のテンプレート情報のカラー印刷データが作成され（ステップＳ１９）、そのカラー印刷データに基づいて第２のテンプレート情報がポストカードに印刷される（ステップＳ２０）。
【００３６】
また、前記ステップＳ８において、選択されたテンプレートが第１のテンプレート情報ではない、すなわち第２のテンプレート情報であると判断されると、ステップＳ１９に移行し、選択された第２のテンプレート情報のカラー印刷データが作成され、そのカラー印刷データに基づいて第２のテンプレート情報がポストカードに印刷される（ステップＳ２０）。また、ステップＳ１８において、選択されたテンプレートが第２のテンプレート情報ではない、すなわち第１のテンプレート情報であると判断されると、メモリカード１５の装着を促すメッセージを液晶表示部４に表示する（ステップＳ２１）。メモリカード１５の装着が行われたことが判断されると（ステップＳ２２のＹＥＳ）、ステップＳ９に移行し、以下、ステップＳ９のメモリカード１５からの写真画像のサムネイル画像の読み出し、Ｓ１０の写真画像の選択画面表示、Ｓ１１の写真画像の選択の判断、Ｓ１２の選択された第１のテンプレート情報３０と写真画像の合成、Ｓ１３のカラー印刷データの作成及びＳ１４の印刷の順に処理が行なわれる。
【００３７】
以上説明したように、本実施の形態によれば、メモリカード１５に記録された写真画像をテンプレートと合成してポストカード９０の文面を作成する場合、印刷装置１に備えるカードスロット９ａ〜９ｄにメモリカード１５が装着されたことを検出スイッチ１０ａ〜１０ｄの検出情報に基づいて判別し、ＲＯＭ２１のテンプレート記憶領域２１ａから写真画像との合成が可能な画像嵌め込み領域３２を有する第１のテンプレートを優先的に読み出して液晶表示部４の選択画面７０に表示するようにしたため、操作者が写真画像と合成可能なテンプレートの選択を容易に行うことができ、ポストカード９０の文面の作成を容易に行うことができる。
【図面の簡単な説明】
【００３８】
【図１】本発明の一実施の形態に係る画像編集機能を有する印刷装置の前面側から見た外観斜視図。
【図２】その印刷装置の背面側から見た外観斜視図。
【図３】メモリカードの装着部の説明図。
【図４】その印刷装置の電子回路のブロック図。
【図５】第１のテンプレート情報の説明図。
【図６】第２のテンプレート情報の説明図。
【図７】ポストカード作成処理のフローチャート。
【図８】作業メニュー画面の説明図。
【図９】第１のテンプレート情報を優先的に表示するテンプレート選択画面の説明図。
【図１０】写真画像の選択画面の説明図。
【図１１】ポストカードの印刷例を示す図。
【図１２】第２のテンプレート情報を優先的に表示するテンプレート選択画面の説明図。
【符号の説明】
【００３９】
１  …印刷装置
２  …装置本体
３  …キーボード
４  …液晶表示部
５  …給紙口
６  …排紙口
７  …給紙トレイ
８  …排紙トレイ
９ａ〜９ｄ…カードスロット
１０ａ〜１０ｄ…検出スイッチ
１５  …メモリカード（記録媒体）
２０  …制御部
２１  …ＲＯＭ
２１ａ…テンプレート記憶領域
２２  …ＲＡＭ
２２ａ…住所録記憶領域
２３  …印刷制御部
２４  …メモリカード制御部
２５  …表示制御部
２６  …印刷機構
２７  …カードコネクタ
３０  …第１のテンプレート画像
３０ａ…第１のテンプレートのサムネイル画像
３２  …画像嵌め込み領域
４０  …第２のテンプレート画像
４０ａ…第２のテンプレートのサムネイル画像
５０  …写真画像
５０ａ…写真画像のサムネイル画像
７０  …ポストカード
【図１】
2008078909.tif 000003
【図２】
2008078909.tif 000004
【図３】
2008078909.tif 000005
【図４】
2008078909.tif 000006
【図５】
2008078909.tif 000007
【図６】
2008078909.tif 000008
【図７】
2008078909.tif 000009
【図８】
2008078909.tif 000010
【図９】
2008078909.tif 000011
【図１０】
2008078909.tif 000012
【図１１】
2008078909.tif 000013
【図１２】
2008078909.tif 000014